(57)【要約】【課題】所望のデザインにストリークを入れるために脱色又は染毛すべき毛束の根元の位置を一般人でも理解できるようにし、また、根元が所定の位置にある毛束を脱色又は染毛できるようにする。【解決手段】ストリーク形成用案内図３０ａにしたがって髪２０に分け目３２ａ、３２ｂを形成し、ストリーク形成用具１ａの帯状部材２がその分け目３２に沿うように、ストリーク形成用具１ａを髪２０に装着し、案内図３０ａに表示された毛束の根元の位置３４で、ストリーク形成用具１ａの引き抜き用穴３から、髪２０を引き出し、引き出した髪の毛束２２を脱色又は染毛する。【選択図】図８Ｂ
2015013062.tif 000002
【特許請求の範囲】
【請求項１】
頭髪にストリークを形成するために脱色又は染毛すべき毛束の根元の位置を案内するストリーク形成用具であって、髪の分け目又は生え際に沿って載置される帯状部材を備え、該帯状部材は、髪の分け目又は生え際を透視できる透明性を有し、その長手方向に沿って複数の、毛束の引き抜き用穴を有するストリーク形成用具。
【請求項２】
帯状部材が可撓性を有する請求項１記載のストリーク形成用具。
【請求項３】
帯状部材の長さが５ｃｍ以上３０ｃｍ以下である請求項１記載のストリーク形成用具。
【請求項４】
毛束の引き抜き用穴が帯状部材の長手方向に所定間隔で一列又は二列に形成されている請求項１〜３のいずれかに記載のストリーク形成用具。
【請求項５】
帯状部材がプラスティックシートである請求項１〜４のいずれかに記載のストリーク形成用具。
【請求項６】
帯状部材の幅方向の中央部に、長手方向に伸びた中央ラインが印刷又は表面凹凸により表示されており、該中央ラインに沿って毛束の引き抜き用穴が形成されている請求項１〜５のいずれかに記載のストリーク形成用具。
【請求項７】
毛穴の引き抜き用穴が直線の辺を有し、その直線の辺が他の辺よりも中央ラインに近接し、該中央ラインに沿って配置されている請求項６記載のストリーク形成用具。
【請求項８】
帯状部材が湾曲している請求項１〜７のいずれかに記載のストリーク形成用具。
【請求項９】
帯状部材が、Ｃ字形を有する弾性材料で形成されている請求項１〜８のいずれかに記載のストリーク形成用具。
【請求項１０】
帯状部材の長手方向の端部に、帯状部材を頭髪に固定する固定手段を有する請求項１〜９のいずれかに記載のストリーク形成用具。
【請求項１１】
帯状部材の長手方向の中央部に、第２の帯状部材の一端が回転可能に取り付けられている請求項１〜１０のいずれかに記載のストリーク形成用具。
【請求項１２】
毛束の引き抜き用穴から引き抜いた毛束とそれ以外の髪との接触を防止するスカートが帯状部材に取り付けられている請求項１〜１１のいずれかに記載のストリーク形成用具。
【請求項１３】
頭髪でストリークを所定のデザインに形成するために脱色又は染毛すべき毛束の根元の位置を、少なくとも頭の上面図又は側面図に表示したストリーク形成用案内図であって、脱色又は染毛すべき毛束の根元の位置が、髪の分け目に沿って表示されている案内図。
【請求項１４】
髪の生え際のラインが表示されている請求項１３記載の案内図。
【請求項１５】
染毛すべき毛束の根元の位置が、生え際のラインに沿った位置に表示されている請求項１４記載の案内図。
【請求項１６】
髪の分け目が、額から後頭部側に伸びている請求項１３〜１５のいずれかに記載の案内図。
【請求項１７】
髪の分け目が、後頭部を横切っている請求項１３〜１６のいずれかに記載の案内図。
【請求項１８】
案内図に表示された位置の毛束を染毛又は脱色することにより得られる頭髪画像が併記されている請求項１３〜１７のいずれかに記載の案内図。
【請求項１９】
請求項１〜１２のいずれかに記載のストリーク形成用具と、請求項１３〜１８のいずれかに記載の案内図を備えたストリーク形成用キット。
【請求項２０】
さらに染毛剤又は脱色剤を備えた請求項１９記載のストリーク形成用キット。
【請求項２１】
請求項１３〜１８のいずれかに記載の案内図にしたがって髪の分け目を形成し、請求項１〜１２のいずれかに記載のストリーク形成用具の帯状部材を、その長手方向が前記髪の分け目に沿うように頭髪上に配置し、前記案内図に表示された毛束の根元の位置で、ストリーク形成用具の毛束の引き抜き用穴から髪を引き出し、引き出した髪の毛束を脱色又は染毛するストリーク形成方法。
【発明の詳細な説明】
【技術分野】
【０００１】
本発明は、ストリーク形成用具、ストリーク形成位置の案内図、及びストリーク形成方法に関する。
【背景技術】
【０００２】
近年、毛髪の一部を部分的に染めてアクセントを加えるといったストリークが流行している。ストリークは、頭髪の一部の毛束を脱色又は染毛することにより、筋状に形成した明るい部分（ハイライト）又は暗い部分（ローライト）である。ストリークの形成は、毛髪に変化を与えることができ、頭髪のデザイン上、立体感や髪の流れ等を感じさせる手法の一つとなっている。
【０００３】
しかし、染毛後の頭髪においてストリークが所望のデザインに現れるように、頭髪のどの部位の毛束にストリークを入れるか、あるいはどの程度の大きさの毛束にストリークを形成するかを判断することは難しい。また、染毛料等を部分的に頭髪に塗布する施術も、ヘアサロン等の技術者でなく、個人が自身で実施することは困難である。そこで、ハイライトを有する髪型画像を参照し、ハイライトを入れるべき毛束の幅を実寸大で表した用具を使用して頭髪にハイライトを入れる方法が提案されている（特許文献１）。
【０００４】
また、ハイライトを形成する毛束を、それ以外の髪から分離する器具として、頭を覆うシート状材料に毛束を通す貫通孔をあけたものが知られている（特許文献２）。
【先行技術文献】
【特許文献】
【０００５】
【特許文献１】特表２０１０−５１９９５１
【特許文献２】特表２０１０−５１９９５２
【発明の概要】
【発明が解決しようとする課題】
【０００６】
しかしながら、専門家でない一般人が、ハイライトを有する髪型画像の通りに毛束を染毛又は脱色しようとしても、その髪型画像から、ハイライトを形成する毛束の根元の位置を見きわめることは難しい。また、ハイライトを入れる毛束の根元の位置と、髪型におけるハイライトの現れ方とを関連づけることも、一般人には難しい。
【０００７】
これに対し、本発明の課題は、所望のデザインにストリークを入れるために脱色又は染毛すべき毛束の根元の位置を一般人でも理解できるようにし、また、所定の位置にある毛束を、根元から脱色又は染毛できるようにする技術に関する。
【課題を解決するための手段】
【０００８】
上述の課題に対し、本発明は、頭髪にストリークを形成するために脱色又は染毛すべき毛束の根元の位置を案内するストリーク形成用具であって、髪の分け目又は生え際に沿って載置される帯状部材を備え、該帯状部材は、髪の分け目又は生え際を透視できる透明性を有し、その長手方向に沿って複数の、毛束の引き抜き用穴を有するストリーク形成用具を提供する。
【０００９】
また、本発明は、頭髪でストリークを所定のデザインに形成するために脱色又は染毛すべき毛束の根元の位置を、少なくとも頭の上面図又は側面図に表示したストリーク形成用案内図であって、脱色又は染毛すべき毛束の根元の位置が、髪の分け目に沿って表示されている案内図を提供する。
【００１０】
さらに、本発明は、上述のストリーク形成用具と案内図を備えたストリーク形成用キットを提供する。
【００１１】
加えて、本発明は、上述の案内図にしたがって髪の分け目を形成し、上述のストリーク形成用具の帯状部材を、その長手方向が前記髪の分け目に沿うように頭髪上に配置し、前記案内図に表示された毛束の根元の位置で、ストリーク形成用具の毛束の引き抜き用穴から髪を引き抜き、引き抜いた髪の毛束を脱色又は染毛するストリーク形成方法を提供する。
【発明の効果】
【００１２】
本発明の案内図によれば、頭髪にストリークを所定のデザインに形成するために脱色又は染毛すべき毛束の根元の位置が髪の分け目に沿って表示されている。また、本発明のストリーク形成用具によれば、髪の分け目又は生え際を視認することができる帯状部材に毛束の引き抜き用穴が形成されている。したがって、頭髪にストリークを所望のデザインに形成する場合に、まず、そのデザインに対応した本発明の案内図を選び、その案内図にしたがって髪に分け目を形成し、本発明のストリーク形成用具の帯状部材を、帯状部材の長手方向が髪の分け目に沿うように頭髪上に配置し、案内図に表示された毛束の根元の位置で、ストリーク形成用具の毛束の引き抜き用穴から髪を引き抜き、引き抜いた髪の毛束を脱色又は染毛することにより、一般人でも、容易かつ確実に、頭髪に所望のデザインにストリークを入れることが可能となる。
【図面の簡単な説明】
【００１３】
【図１Ａ】図１Ａは、実施例のストリーク形成用具の平面図である。
【図１Ｂ】図１Ｂは、実施例のストリーク形成用具の平面図である。
【図１Ｃ】図１Ｃは、実施例のストリーク形成用具の平面図である。
【図１Ｄ】図１Ｄは、実施例のストリーク形成用具の平面図である。
【図１Ｅ】図１Ｅは、実施例のストリーク形成用具の平面図である。
【図１Ｆ】図１Ｆは、実施例のストリーク形成用具の平面図である。
【図１Ｇ】図１Ｇは、実施例のストリーク形成用具の平面図である。
【図１Ｈ】図１Ｈは、実施例のストリーク形成用具の平面図である。
【図１Ｉ】図１Ｉは、実施例のストリーク形成用具の平面図である。
【図１Ｊ】図１Ｊは、実施例のストリーク形成用具の平面図である。
【図１Ｋ】図１Ｋは、実施例のストリーク形成用具の平面図である。
【図１Ｌ】図１Ｌは、実施例のストリーク形成用具の平面図である。
【図１Ｍ】図１Ｍは、実施例のストリーク形成用具の平面図である。
【図１Ｎ】図１Ｎは、実施例のストリーク形成用具の平面図である。
【図２】図２は、実施例のストリーク形成用具の平面図である。
【図３】図３は、実施例のストリーク形成用具の斜視図である。
【図４】図４は、実施例のストリーク形成用具の斜視図である。
【図５】図５は、実施例のストリーク形成用具の斜視図である。
【図６】図６は、実施例のストリーク形成用具の平面図である。
【図７Ａ】図７Ａは、実施例のストリーク形成用具の平面図である。
【図７Ｂ】図７Ｂは、実施例のストリーク形成用具の平面図である。
【図７Ｃ】図７Ｃは、実施例のストリーク形成用具の平面図である。
【図７Ｄ】図７Ｄは、実施例のストリーク形成用具の平面図である。
【図８Ａ】図８Ａは、実施例のストリーク形成用具の使用方法を示す斜視図である。
【図８Ｂ】図８Ｂは、実施例のストリーク形成用具の使用方法を示す斜視図である。
【図８Ｃ】図８Ｃは、実施例のストリーク形成用具の使用方法を示す斜視図である。
【図９】図９は、実施例のストリーク形成用具の使用方法を示す斜視図である。
【図１０】図１０は、実施例のストリーク形成用具の使用方法を示す斜視図である。
【図１１】図１１は、実施例のストリーク形成用具の使用方法を示す斜視図である。
【図１２】図１２は、実施例の案内図の平面図である。
【図１３】図１３は、実施例の案内図の平面図である。
【図１４】図１４は、実施例のストリーク形成方法の工程図である。
【図１５】図１５は、頭部の背面図（ａ）と側面図（ｂ）における、ストリークを形成する毛束の根元の位置の説明図である。
【発明を実施するための形態】
【００１４】
以下、図面を参照しつつ本発明を詳細に説明する。なお、各図中、同一符号は、同一又は同等の構成要素を表している。
図１Ａは、本発明の一実施例のストリーク形成用具１ａの平面図である。このストリーク形成用具１ａは、頭髪にストリークを形成するためのもので、帯状部材２に、毛束の引き抜き用の円形の穴３が２列に開口している。帯状部材２は、それを頭髪上に載置した場合に髪の分け目又は生え際を透視できる程度の透明又は半透明の透明性を有する。また、頭の形状に沿って撓むことのできる可撓性を備えた部材で形成されている。可撓性を備えた部材としては、たとえば、プラスティックシートや、カチューシャ等のＣ字形を有する弾性部材が含まれる。
【００１５】
後述するように、本発明のストリーク形成用具の使用時には帯状部材の長手方向が頭髪の分け目に沿うように配置される。より具体的には、このストリーク形成用具１ａの使用時においては、穴３の列が頭髪の分け目に沿うように、帯状部材２が頭髪上に配置される。そして、ストリークを入れるべき毛束が穴３から引き出される。ここで、帯状部材２の長手方向の長さＬ１は、所望のデザインにストリークを形成するために頭髪の分け目の長さに対応したものとする。例えば、長手方向の長さＬ１の下限値は、ある程度の大きさの穴３が２以上配列できる程度の長さであって、好ましくは５ｃｍ以上であり、上限値は頭部の半分を覆う程度であって、好ましくは３０ｃｍ以下である。より具体的には、額の生え際から頭頂部に至る髪の分け目２１ａ（図８Ａ参照）の上に帯状部材２を載置できるように、帯状部材２の長手方向の長さＬ１を、好ましくは５ｃｍ以上１５ｃｍ以下、より好ましくは１０ｃｍ以上１２ｃｍ以下とする。また、左右の耳介の上端付近を通り、後頭部を横断するように形成した髪の分け目２１ｂ（図１０参照）の上に帯状部材２を重ねられるように、帯状部材２の長手方向の長さＬ１を１８ｃｍ以上３０ｃｍ以下とする。
【００１６】
帯状部材２の幅方向の長さＬ２は、例えば、２．５ｃｍ以上４ｃｍ以下とすることが好ましい。これにより、帯状部材２の幅を２等分する中心線ｍを髪の分け目に合わせた場合に、その中心線ｍの両側に毛束を引き出す穴３を形成することができ、帯状部材２を頭髪に取り付ける上での取扱性も容易となる。
【００１７】
このストリーク形成用具１ａにおいて、毛束の引き抜き用の穴３は、帯状部材２の長手方向に沿って２列に形成されており、各列には複数の穴３が所定間隔で配置されている。なお、本発明において、帯状部材２に形成する穴３の数は特に限定されず、複数個とすることができる。穴３の径Ｌ３は、頭髪デザインに応じて適宜定めることができ、通常、６ｍｍ以上１２ｍｍ以下が好ましい。各列における穴３の間隔Ｌ４も頭髪デザインによって応じて定めることができ、通常、２０ｍｍ以上３５ｍｍ以下が好ましい。
【００１８】
このストリーク形成用具１ａにおいて、２列の穴３は、中心線ｍを挟んで互いに対峙している。中心線ｍを挟んで対峙する穴３の間隔Ｌ５は、頭髪の分け目の両側でストリーク用の毛束を引き抜けるようにする点から、３ｍｍ以上５ｍｍ以下とすることが好ましい。これにより、対峙している穴３の双方から毛束を引き抜いても、それらの間に位置する帯状部材２の破断を防止することができる。また、対峙する穴３から引き抜いた双方の毛束の根元の位置を、正確に案内することができる。これに対し、間隔Ｌ５が過度に離れている場合、対向する穴３のうち、一方の穴３を髪の分け目に隣接させると、他方の穴３は髪の分け目から離れ、ストリークを形成する毛束の根元の位置を案内することが困難となる。
【００１９】
このストリーク形成用具１ａの使用方法としては、例えば、図８Ａに示すように、髪２０の分け目２１ａに帯状部材２の中心線ｍを合わせ、ヘアピン、ヘアクリップなどの髪留具４を用いて帯状部材２を髪２０に取り付ける。なお、このストリーク形成用具１ａにおいて中心線ｍは帯状部材２に表示されてはいないが、２列の穴列で髪の分け目２１ａが挟まれるようにすることにより、容易に、中心線ｍを髪の分け目２１ａに合わせることができる。次に、図８Ｂに示すように、帯状部材２の穴３からストリークを形成すべき毛束２２を引き出す。こうして引き出した毛束２２に、常法に従い、脱色又は染毛を行う。
【００２０】
この場合、脱色剤又は染毛剤の塗布方法は、手で塗布してもよいし、刷毛や櫛等の塗布具を用いてもよいし、また塗布具が一体型の塗布具付き容器を用いてもよい。塗布具付き容器としては、例えば、図８Ｃに示す塗布具付き容器４０のように、剤の吐出口を有するノズル先端に開口溝を設け、そこに毛束を挟むようにした塗布具４１を設けたものや、ノズル先端に櫛歯を形成したもの等とすることができる。塗布具付き容器を用いることで、簡便に塗布操作を行うことができる。
【００２１】
あるいは、図９に示すように、髪の生え際に帯状部材２の中心線ｍを合わせ、帯状部材２をヘアピン、ヘアクリップ等の髪留具４で髪２０に取り付け、上述と同様に、帯状部材２の穴３から毛束を引き出し、脱色又は染色を行う。なお、ストリークを有する個々の頭髪デザインにおいて、ストリーク形成用具１ａの帯状部材２の全ての穴３から毛束を引き出して脱色又は染毛することは、必ずしも必要ではない。毛束を引き出す穴３は、当該頭髪デザインに応じて適宜選択される。
【００２２】
本発明のストリーク形成用具は種々の態様をとることができる。
例えば、上述のストリーク形成用具１ａでは中心線ｍが表示されていなかったのに対し、図１Ｂのストリーク形成用具１ｂは、帯状材料２の幅方向の中央部に、印刷により中央ラインｎを表示したもので、中央ラインｎを挟んで穴３が２列に配置されている。これにより、髪の分け目に穴３の列が沿うように帯状部材２を頭髪上に取り付けることが容易となる。なお、印刷に代えて、中心ラインｎを、突条、溝、エンボス柄等の表面凹凸により表示してもよい。
【００２３】
図１Ｃのストリーク形成用具１ｃは、ストリーク形成用具１ａにおいて、２列の穴列の間に、各穴列に当接する線ｎ1を印刷したものである。この２本の線の間に、髪の分け目がくるようにストリーク形成用具１ｃを頭髪に取り付けることで、穴３の列を髪の分け目に沿わせることが容易となる。
【００２４】
図１Ｄのストリーク形成用具１ｄは、図１Ｂのストリーク形成用具１ｂにおいて、中心線ラインｎを挟んで対峙していた穴３が、互い違いになるように穴３を配置したものである。ストリーク形成具の帯状部材２における穴３の配置は、ストリークを入れる頭髪デザインに応じて適宜定められる。
【００２５】
図１Ｅのストリーク形成用具１ｅは、上述のストリーク形成用具１ａにおいて、帯状部材３の長手方向に大径の穴３ａと小径の穴３ｂを交互に配置したものである。この場合、対峙している大径の穴３ａ同士の間隔Ｌ５も、小径の穴３ｂ同士の間隔Ｌ５も等しく形成されている。これにより、大径の穴３ａからも小径の穴３ｂからも、そこに根元を有する毛束を引き出すことが可能となる。
【００２６】
図１Ｆのストリーク形成用具１ｆは、上述のストリーク形成用具１ａにおいて、２列の穴列の一方を大径の穴３ａとし、他方を小径の穴３ｂとし、大径の穴３ａと小径の穴３ｂを対峙させたものである。
本発明において、帯状部材２に形成される穴３の大きさは、ストリークを入れる頭髪デザインに応じて適宜定められる。
【００２７】
図１Ｇのストリーク形成用具１ｇは、上述のストリーク形成用具１ｂにおいて、帯状部材２の幅を２等分する中央ラインｎの片側にのみ穴３を形成したものであり、図１Ｈのストリーク形成用具１ｈは、帯状部材の幅を２等分する中央ラインｎ上に穴３を一列に形成したものである。
このように、穴３を一列に形成したストリーク形成用具１ｇ、１ｈは、髪の分け目の片側でのみストリークを形成する毛束を引き出す場合に有用となる。例えば、図１０に示すように、一方の耳の耳介の上端付近から他方の耳の耳介の上端付近に至る後頭部を横断するように伸びた水平な分け目２１ｂを髪２０に形成し、その分け目２１ｂから頭頂部側の髪を束ねておき、分け目２１ｂに帯状部材２の中央ラインｎを合わせて帯状部材２を髪留具４で固定する。これにより、分け目２１ｂの下側に位置する穴３から毛束を引き出すことが可能となる。また、図９に示すような髪の生え際を染毛する際、ストリーク形成用具１ａに代えて、ストリーク形成用具１ｇ等を使用できる。
【００２８】
本発明のストリーク形成用具において、穴３の形状は円形に限られない。例えば、図１Ｉのストリーク形成用具１ｉのように穴３を蒲鉾型としてもよく、図１Ｊのストリーク形成用具１ｊのように穴３を三角形としてもよく、図１Ｋのストリーク形成用具１ｋのように穴３を矩形としてもよく、図１Ｌのストリーク形成用具１ｌのように穴３を台形としてもよい。これらのストリーク形成用具１ｉ、１ｊ、１ｋ、１ｌのように、穴３が直線の辺を有する形状の場合、その直線の辺を、帯状部材２の幅方向の中心線ｍに隣接させ、該中心線ｍに沿って配置することが、毛束を引き出す根元の位置を、髪の分け目に対して正確に案内できる点で好ましい。また、中心線ｍから離れた位置では、穴の開口面積を大きくすることが、髪を穴３から引き出しやすくする点で好ましい。これらの穴形状のうち、髪を引き出す穴の面積が狭く感じられない点では、三角形よりも蒲鉾型、矩形、台形が好ましい。
【００２９】
また、図１Ｍに示すストリーク形成用具１ｍのように、穴３の形状を三日月形にした場合、その弦を中心線ｍ側に配置することが、毛束を引き出す根元の位置を、髪の分け目に対して正確に制御できる。
【００３０】
図１Ｎに示すストリーク形成用具１ｎのように、１つの帯状部材２に、複数種の形状の穴３を設けても良い。
【００３１】
図２に示すストリーク形成用具１ｏのように、帯状部材２を頭髪に取り付けた場合に、帯状部材２が頭の形状に沿いやすいように、帯状部材２を平面内で湾曲させてもよい。また、図３に示すストリーク形成用具１ｐのように、立体的に帯状部材２を湾曲させてもよく、図４に示すストリーク形成用具１ｑのように、Ｃ字形の弾性材料を用いて帯状部材２をカチューシャ形に形成してもよい。
【００３２】
このような帯状部材の湾曲の態様は、ストリーク形成用具を取り付ける頭部の位置に応じて定めることができる。例えば、図２のように平面内で湾曲させた形状は、額の生え際に帯状部材２を沿わせる場合に有用である。また、図３のストリーク形成用具１ｐは、額から後頭部に至る髪の分け目に帯状部材を沿わせる場合に有用である。さらに、図４のようにＣ字形の弾性材料を用いたストリーク形成用具１ｑは、額の生え際に帯状部材２を沿わせる場合、あるいは左右の耳介の上端付近を通り、後頭部を横断するように水平方向に形成した髪の分け目（図１０参照）に帯状部材２を沿わせる場合に有用である。
【００３３】
特に、図４のカチューシャ形のストリーク形成用具１ｑにおいては、ピンやヘアクリップ等の髪留具を使用しなくても帯状部材２を頭髪に取り付けることが可能となる。あるいは、髪留具を使用する場合でも、帯状部材２を頭髪に取り付ける作業が軽減されるので好ましい。
【００３４】
図５のストリーク形成用具１ｒは、図４のカチューシャ形のストリーク形成用具１ｑの長手方向の中央部に、第２の帯状部材２ｂを矢印で示したように回転可能に取り付けたものである。これにより、互いに交わる２方向の髪の分け目のそれぞれに帯状部材２、２ｂを同時に沿わせて髪に取り付けることが可能となる。
【００３５】
なお、前述のストリーク形成用具にも、適宜連結して使用できるように連結用穴、あるいは嵌合用の凹凸などを形成することができる。例えば、図２に示したストリーク形成用具１ｏの中央部と図３に示したストリーク形成用具１ｐの端部に連結用穴３ｘを形成し、これらをネジ式ビス等の連結具で回転可能に結合することができる。これにより、図５に示したストリーク形成用具１ｒと同様に、互いに交わる２方向の髪の分け目に対応したストリーク形成用具を得ることができる。
【００３６】
図６のストリーク形成用具１ｓは、図１Ａのストリーク形成用具１ａと同様の帯状部材２にスカート５を取り付けたものである。スカート５は、脱色剤又は染毛剤が浸透しない撥水性と可撓性を備えたシートで形成することが好ましい。このストリーク形成用具１ｓは、例えば、図１１に示すように、髪２０に取り付けられて使用される。これにより、穴３から引き抜いた毛束２２とそれ以外の髪２０との接触を防止することができ、穴３から引き抜いた毛束以外の髪２０が、不要に脱色又は染毛されることを防止することができる。
【００３７】
このスカート５には、例えば図６の破線５ａで破断できるように、引き裂き容易なフィルム材料を使用し、適宜ノッチなどを設けてもよい。これにより穴３から引き抜いた毛束２２を、スカート５の破断片で包むことができる。したがって、穴３から引き抜いた毛束以外の髪２０が、不要に脱色又は染毛されることを確実に防止することができ、また、穴３から引き抜いた毛束２２に適用する脱色剤又は染毛剤の浸透処理を加速させることも可能となる。
【００３８】
図７Ａのストリーク形成用具１tは、図１Ｇのストリーク形成用具１ｇの帯状部材２の長手方向の両端部に櫛部６を設けている。このように、帯状部材２に櫛歯を設けることで、頭髪への装着が容易となる。櫛部６は、両端部全体であっても部分的であってもよく、また図７Ｂに示すストリーク形成用具１ｕのように、長辺部に櫛部６を形成してよい。帯状部材２の長辺部に櫛部６を形成すると、図１０のように後頭部を横断するように取り付ける場合に有効である。
【００３９】
また、帯状部材２の頭髪への装着を容易にするために、図７Ｃのストリーク形成用具１ｖのように、帯状部材２の頭髪への接触面に粘着層７を形成しておいてもよい。この粘着層７としては、例えばゴム系樹脂、アクリル系樹脂、酢酸ビニル系樹脂など粘着剤などで形成することができる。粘着層７を形成する場合にも、中心線ｍの片側にのみ穴３が形成されているときには、穴３が形成されていない中心線ｍの反対側に粘着層７を設けることが好ましい。
【００４０】
帯状部材２の頭髪への装着を容易にするために、図７Ｄのストリーク形成用具１ｗのように、帯状部材２の長手方向の両端部に、ヘアクリップ８を取り付けておいても良い。ヘアクリップとしては、汎用的に用いられているものでよく、またヘアピンやＵピン等の毛髪留め具を用いてもよい。
【００４１】
この他、帯状部材２は、その両端部で頭髪に固定する他、中央部で頭髪に固定してもよく、中央部にヘアクリップ等を設けても良い。さらに、固定具を取り付けやすいように、固定具を取付ける穴、スリット等を設けてもよい。
【００４２】
本発明において、上述したストリーク形成用具１ａ〜１ｗの変形部分は、適宜組み合わせることができる。
【００４３】
ところで、毛束を脱色又は染毛してストリークを形成するにあたり、毛束の根元の位置によって頭髪におけるストリークの現れ方は大きく異なり、ストリークを入れた頭髪デザインの印象も変わってくる。頭髪デザインは、概略、図１５の側面図（ｂ）に示すように、頭部の側面で４つの領域に分け、どの位置にストリークを形成するかにより印象を変えることができる。たとえば、ストリークを形成する毛束の根元２３が頭頂部に近い領域Ａ又は領域Ｃにあると、ストリークの目立つ頭髪デザインとなる。また、ストリークを形成する毛束の根元２３が後頭部よりも下側の領域Ｂ又は領域Ｄにあると、ストリークが、それよりも頭頂側に生えている髪によって隠されやすくなるので、ストリークが目立ちにくい頭髪デザインとなる。
一方、施術をする観点では、ストリークを形成する毛束の根元２３が顔側の領域Ａ又は領域Ｂにあるとストリークは本人に見え易く、後頭部側の領域Ｃ又は領域Ｄにあるとストリークは本人に見えにくくなる。そのため、本人自らがストリークを形成する場合に、後頭部側の領域Ｃ又は領域Ｄに毛束の根元２３をおくストリークは敬遠される傾向にある。
【００４４】
しかしながら、後頭部側の領域Ｃ、Ｄに毛束の根元２３をおくストリークも頭髪デザインに大きく影響し、特に、後頭部側で上部側の領域Ｃに毛束の根元をおくストリークは目立ちやすいため、頭髪デザインに及ぼす影響が大きい。
【００４５】
そこで、本発明者は、これら領域Ａ、Ｂ、Ｃ、Ｄに毛束の根元をおくストリークが頭髪デザインに及ぼす影響について検討した結果、毛束の根元２３の位置を、額から後頭部に至るラインｐ、頭頂部を囲むラインｑ、左右の耳介の上端付近を通り、後頭部を横断するように水平方向に伸びたラインｒ、顔における髪の生え際のラインｓの上の所定の位置に配置すると、効果的に自然な仕上がりにストリークを入れることができ、さらに、これらのラインｐ、ｑ、ｒ、ｓ上の所定の位置の組み合わせにより、特定の印象の頭髪デザインを実現できることを見出した。
【００４６】
また、上述のラインｐ、ｑ、ｒ上に毛束の根元２３をおくストリークを形成するには、これらのラインｐ、ｑ、ｒに合わせて髪の分け目を形成しておき、分け目に隣接した領域から毛束を取り出すことが、毛束の取り出し作業を容易にするので好ましい。
【００４７】
そこで、本発明は、ストリークを所定のデザインに形成するために脱色又は染毛すべき毛束の根元の位置を表示したストリーク形成用案内図であって、脱色又は染毛すべき毛束の根元の位置が、髪の分け目に沿って表示されているものを提供する。この案内図は、頭の上面図もしくは側面図、又はそれらの組み合わせにより表される。
【００４８】
図１２は、本発明のストリーク形成用案内図の一例である。この案内図３０ａは、頭の上面模式図３１ａと側面模式図３１ｂからなる。上面模式図３１ａには、上述のラインｐに対応する分け目３２ａ（ｐ）と、ラインｓに対応する生え際３３（ｓ）が描かれている。また、側面模式図３１ｂには、上述のラインｒに対応する分け目３２ｂ（ｒ）と、ラインｓに対応する生え際３３（ｓ）が描かれている。そして、これらの分け目３２ａ、３２ｂ又は生え際３３に沿って描かれた点により、脱色又は染毛すべき毛束の根元の位置３４が表示されている。すなわち、この案内図３０ａの上面模式図３１ａには、額の中央部から後頭部に至る分け目３２ａ（ｐ）の両側にある合計１０箇所と、その分け目３２ａ（ｐ）の後頭部側端部に接する１箇所を根元の位置３４とする毛束にストリークを入れること、また、側面模式図３１ｂからは、左右の耳介の上端付近を通り、後頭部を横断するように水平方向に伸びた分け目３２ｂ（ｒ）の下側の、左右の片側あたり４箇所と、顔と頭髪の生え際３３（ｓ）に沿った左右の片側あたり６箇所を根元の位置３４とする毛束にストリークを形成することが案内されている、したがって、一般人でもストリークを形成する位置を容易に理解することができる。
【００４９】
さらにこの案内図３０ａには、案内図３０ａの通りにストリークを入れた頭髪をストレートにした場合、ウェービーにした場合、ハーフアップにした場合、オールアップにした場合のそれぞれについて、頭髪画像が併記されている。これにより、この案内図３０ａにしたがって入れたストリークが、実際の髪型でどのように現れるかも、一般人は容易に了解することができる。
【００５０】
図１３は、上述の案内図３０ａとはストリークの入れ方が異なる髪型デザインの案内図３０ｂ〜３０ｅである。このように、本発明の案内図によれば、ストリークを入れる個々の髪型のデザインに応じて、ストリークを入れる位置や個数をわかりやすく表示することができる。
【００５１】
なお、本発明の案内図において、分け目の位置や数は、これらの図に示された態様に限定されない。例えば、額から後頭部に至る分け目を複数本形成し、あるいは後頭部を横切る分け目を複数本形成し、それらの分け目に沿ってストリークを入れる毛束の根元の位置を示しても良い。
【００５２】
また、本発明の案内図としては、上面図又は側面図のいずれか一方でストリークの入れ方を表示できる場合には、必ずしも上面図と側面図の双方を使用しなくてもよい。例えば、図１３の案内図３０ｂは上面図のみとしてもよく、図１３の案内図３０ｅは側面図のみとしてもよい。また、必要に応じて、頭部の正面図に同様に分け目や根元の位置を表した案内図を加えても良い。
【００５３】
本発明の案合図にしたがって、髪の分け目にそってストリークする毛束を取り出す場合に、前述の本発明のストリーク形成用具１ａ〜１ｗを使用し、帯状部材２の穴３から毛束を引き出すと、容易に所定の位置に根元２３をおく毛束を、所定の毛束の径で引き出すことができる。
【００５４】
そこで、本発明は、本発明の案内図と本発明のストリーク形成用具とをセットにしたストリーク形成用キットを包含する。この場合、ストリーク形成用具を案内図に容易に脱着できるように貼付し、キットとして包装してもよい。
【００５５】
また、このキットを用いたストリークの形成方法として、まず、本発明の案内図にしたがって髪の分け目を形成し、本発明のストリーク形成用具の帯状部材を、その長手方向が髪の分け目に沿うように頭髪上に配置し、案内図に表示された毛束の根元の位置で、ストリーク形成用具の毛束の引き抜き用穴から髪を引き抜き、引き抜いた髪の毛束を脱色又は染毛する方法を包含する。
【００５６】
図１４は、本発明のストリーク形成方法の一つの実施例の工程図である。このストリーク形成方法によれば、まず、ストリーク形成用案内図と、その案内図にしたがってストリークを形成した頭髪画像との対応から、頭髪においてストリークが所望の現れ方をすることによりストリークが好みの仕上がり効果を発揮する案内図を選択する。次に、その案内図にしたがって、髪を分け取るか、分け目で髪の流れを分けることにより髪に分け目を入れる。そして、その分け目を形成した髪にストリーク形成用具を装着する。この場合、帯状部材２に形成されている穴３が分け目に沿って位置するように、帯状部材２を髪２０に取り付ける。より具体的には、例えば、図１Ａのストリーク形成用具１ａのように帯状部材２に穴３が２列に形成されている場合には、中心線ｍを分け目２１に合わせることにより、穴３の列を分け目２１に沿わせる。また、図１Ｂのストリーク形成用具１ｂのように、帯状部材２に中央ラインｎが表示されている場合には、中央ラインｎを分け目に合わせる。
【００５７】
次に、案内図に従い、装着したストリーク形成用具の穴から、髪を引き出す。案内図により、さらに異なる分け目に沿った位置からも毛束を引き出す場合、あるいは、髪の生え際から毛束を取り引き出す場合には、異なる分け目あるいは生え際に沿わせて新たにストリーク形成用具を装着し、案内図に示された位置にしたがって毛束を引き出す。
次に、穴から引き出した毛束に脱色剤又は染毛剤を塗布し、洗浄し、乾燥して、所望の髪型にアレンジする。
こうして、一般人でも、ストリークが所望の現れ方をする髪型を形成することができる。
【００５８】
脱色剤又は染毛剤としては、一剤式のもの、酸化染料中間体などの染料、アルカリ剤等を配合した第１剤と酸化水素などの酸化剤等を配合した第２剤とからなる二剤式のもの、またこれら二剤に加え、過硫酸塩等の酸化促進剤を配合した粉末状の第３剤とからなる三剤式など、使用時に混合される複数の剤を含んで構成されるものを適用できる。染毛剤は、永久染毛剤、半永久染毛剤を含むものである。
【００５９】
毛髪に塗布する脱色剤又は染毛剤の剤型は、毛髪への塗布のし易さの点から流動性を有するものが好ましく、ジェル状、ゲル状、クリーム状、ペースト状等の粘稠なものでも、液状のものでもよい。また、ムース状やエアゾール形態等、泡状とすることもできる。
【００６０】
脱色剤又は染毛剤を毛髪に適用する段階（二剤型又は三剤型の場合は混合後）における該脱色剤又は染毛剤の粘度は、通常１００〜１００，０００ｍＰａ・ｓが好ましく、泡状で吐出する場合には、１０〜１０，０００ｍＰａ・ｓが好ましい。ここで、粘度は、ブルックフィールド回転粘度計（Ｎｏ．５スピンドル、５ｒｐｍ）を用いて２０℃で測定した値である。
【符号の説明】
【００６１】
１ａ、１ｂ、１ｃ、１ｄ、１ｅ、１ｆ、１ｇ、１ｈ、１ｉ、１ｊ、１ｋ、１ｌ、１ｍ、１ｎ、１ｏ、１ｐ、１ｑ、１ｒ、１ｓ、１ｔ、１ｕ、１ｖ、１ｗ    ストリーク形成用具
２      帯状部材
２ｂ    第２の帯状部材
３      穴
３ｘ    連結用穴
４      髪留具
５      スカート
６      櫛部
７      粘着層
８        ヘアクリップ
２０      髪
２１ａ、２１ｂ      髪の分け目
２２      毛束
２３      毛束の根元
３０ａ、３０ｂ、３０ｃ、３０ｄ、３０ｅ      案内図
３１ａ    頭の上面模式図
３１ｂ    頭の側面模式図
３２ａ、３２ｂ、３２ａ（ｐ）、３２ｂ（ｒ）、３２ｒ（ｐ）      案内図における髪の分け目
３３、３３（ｓ）      案内図における生え際
３４      案内図における毛束の根元の位置
４０      塗布具付き容器
４１      塗布具
Ｌ１      帯状部材の長手方向の長さ
Ｌ２      帯状部材の幅方向の長さ
Ｌ３      穴の径
Ｌ４      穴の間隔
Ｌ５      対峙する穴の間隔
ｍ      中心線
ｎ      印刷された中央ライン
ｐ      額から後頭部に至るライン
ｑ      頭頂部を囲むライン
ｒ      後頭部を横断するように水平方向に伸びたライン
ｓ      髪の生え際のライン
【図１Ａ】
2015013062.tif 000003
【図１Ｂ】
2015013062.tif 000004
【図１Ｃ】
2015013062.tif 000005
【図１Ｄ】
2015013062.tif 000006
【図１Ｅ】
2015013062.tif 000007
【図１Ｆ】
2015013062.tif 000008
【図１Ｇ】
2015013062.tif 000009
【図１Ｈ】
2015013062.tif 000010
【図１Ｉ】
2015013062.tif 000011
【図１Ｊ】
2015013062.tif 000012
【図１Ｋ】
2015013062.tif 000013
【図１Ｌ】
2015013062.tif 000014
【図１Ｍ】
2015013062.tif 000015
【図１Ｎ】
2015013062.tif 000016
【図２】
2015013062.tif 000017
【図３】
2015013062.tif 000018
【図４】
2015013062.tif 000019
【図５】
2015013062.tif 000020
【図６】
2015013062.tif 000021
【図７Ａ】
2015013062.tif 000022
【図７Ｂ】
2015013062.tif 000023
【図７Ｃ】
2015013062.tif 000024
【図７Ｄ】
2015013062.tif 000025
【図８Ａ】
2015013062.tif 000026
【図８Ｂ】
2015013062.tif 000027
【図８Ｃ】
2015013062.tif 000028
【図９】
2015013062.tif 000029
【図１０】
2015013062.tif 000030
【図１１】
2015013062.tif 000031
【図１４】
2015013062.tif 000032
【図１２】
2015013062.tif 000033
【図１３】
2015013062.tif 000034
【図１５】
2015013062.tif 000035